(57)【要約】【課題】呼出ボタンやセンサーからの入力を検知した際、報知音を鳴動する報知音発生装置において、周囲の環境に合わせ、最適な報知音を鳴動する報知音発生装置を提供すること。【解決手段】本発明の報知音発生装置１１は、呼出信号を入力する入力手段１２と、報知音を鳴動する報知手段１３と、周囲の騒音を測定する集音手段１４と、周囲の騒音状況に合わせて報知音を選択する報知音制御手段１５とを備えたものである。【選択図】　図２
2004144890.tif 000002
【特許請求の範囲】
【請求項１】
呼出信号を入力する入力手段と、周囲の騒音を測定する集音手段と、前記呼出信号を検知したとき前記周囲の騒音状況に基づき報知音を選択する報知音制御手段と、前記選択された報知音を鳴動する報知手段とを備えたことを特徴とする報知音発生装置。
【請求項２】
前記集音手段と前記報知手段は一の筐体に収められたことを特徴とする請求項１に記載の報知音発生装置。
【請求項３】
前記報知音制御手段は、予め周囲の騒音状況を一定時間観測し報知音選択の判断に用いることを特徴とする請求項１に記載の報知音発生装置。
【請求項４】
前記報知音制御手段は、周囲の騒音状況に基づき内部に備えた音源を用いて報知音を生成することを特徴とする請求項１に記載の報知音発生装置。
【請求項５】
呼出信号を入力する入力手段と、周囲の騒音を測定する集音手段と、現時刻を計時する計時手段と、前記呼出信号を検知したとき前記周囲の騒音状況と前記現時刻に基づき報知音を選択する報知音制御手段と、前記選択された報知音を鳴動する報知手段とを備えたことを特徴とする報知音発生装置。
【請求項６】
呼出信号を入力する入力手段と、周囲の騒音を測定する集音手段と、周囲の照度を測定する測光手段と、前記呼出信号を検知したとき前記周囲の騒音状況と前記周囲の照度に基づき報知音を選択する報知音制御手段と、前記選択された報知音を鳴動する報知手段とを備えたことを特徴とする報知音発生装置。
【請求項７】
呼出信号を入力する入力手段と、周囲の騒音を測定する集音手段と、周囲の人の存在を検知する人感手段と、前記呼出信号を検知したとき前記周囲の騒音状況と前記周囲の人の存在に基づき報知音を選択する報知音制御手段と、前記選択された報知音を鳴動する報知手段とを備えたことを特徴とする報知音発生装置。
【発明の詳細な説明】
【０００１】
【発明の属する技術分野】
本発明は、呼出ボタンや各種センサーからの入力を検知した際、報知音を鳴動できるようにした報知音発生装置に関し、特に、周囲の状況に応じて最適な報知音を鳴動する報知音発生装置を提供するものである。
【０００２】
【従来の技術】
従来の報知音発生装置は、呼出信号や防犯センサー他各種センサーからの入力を検知したとき、予め決められた報知音を鳴動することができるものがある。
【０００３】
【発明が解決しようとする課題】
しかしながら、この従来の報知音発生装置には、次のような問題があった。例えば、来客による呼出を報知するときに、周囲の騒音が大きかった場合、来客に気付かない。また、周囲に騒音があっても聞こえるよう報知音が大きくする場合は、出力の大きな音声アンプが必要となるとともに、深夜のように騒音がほとんどない環境では、逆に、報知音によって周囲の人に不快感を与えてしまう。
【０００４】
本発明は、このような従来の問題を解決するためになされたもので、呼出ボタンや各種センサーからの入力を検知したとき、報知音を鳴動する報知音発生装置において、周囲の状況に応じて適正な報知音を発生する報知音発生装置を提供するものである。
【０００５】
【課題を解決するための手段】
請求項１に記載の発明は、呼出信号を入力する入力手段と、周囲の騒音を測定する集音手段と、前記呼出信号を検知したとき前記周囲の騒音状況に基づき報知音を選択する報知音制御手段と、前記選択された報知音を鳴動する報知手段とを備えたものである。
【０００６】
従って、周囲の騒音状況に応じて、予め用意された報知音の中から適正な報知音を選択し鳴動することができるため、呼出等の報知を的確に、また、不快感を与えることなく実現する。
【０００７】
また、請求項２に記載の発明は、請求項１に記載の集音手段と、報知手段とを、一の筐体に収めるものである。
【０００８】
従って、報知を実際に行なう周囲の騒音状況を集音した結果に基づき、報知音を選択するため、呼出等の報知を的確に、また、不快感を与えることなく実現する。
【０００９】
また、請求項３に記載の発明は、請求項１に記載の報知音制御手段を、呼出信号を受ける前の一定期間の、周囲の騒音状況に基づき、報知音を選択するようにしたものである。
【００１０】
従って、報知音を鳴動する直前の騒音状況だけでなく、騒音の時間的な変化も条件に入れた上で報知音を選択するため、呼出等の報知を的確に、また、不快感を与えることなく実現する。
【００１１】
また、請求項４に記載の発明は、請求項１に記載の報知音制御手段に音源を備えたことにより、周囲の騒音状況に基づき、適切な報知音を生成するものである。
【００１２】
従って、予め用意された音源を利用し、周囲の騒音状況に応じて報知音を生成できるので、呼出等の報知を的確に、また、不快感を与えることなく実現する。
【００１３】
また、請求項５に記載の発明は、呼出信号を入力する入力手段と、周囲の騒音を測定する集音手段と、現時刻を計時する計時手段と、前記呼出信号を検知したとき前記周囲の騒音状況と前記現時刻に基づき報知音を選択する報知音制御手段と、前記選択された報知音を鳴動する報知手段とを備えたものである。
【００１４】
従って、深夜等の騒音が少ない時間帯には音量の大きな報知音を選択することなく、適正な報知音を選択するため、呼出等の報知を的確に、また、不快感を与えることなく実現する。
【００１５】
また、請求項６に記載の発明は、呼出信号を入力する入力手段と、周囲の騒音を測定する集音手段と、周囲の照度を測定する測光手段と、前記呼出信号を検知したとき前記周囲の騒音状況と前記周囲の照度に基づき報知音を選択する報知音制御手段と、前記選択された報知音を鳴動する報知手段とを備えたものである。
【００１６】
従って、人が活動していない可能性の高い照度の低い環境でも、適正な報知音を選択するため、呼出等の報知を的確に、また、不快感を与えることなく実現する。
【００１７】
請求項７に記載の発明は、呼出信号を入力する入力手段と、周囲の騒音を測定する集音手段と、周囲の人の存在を検知する人感手段と、前記呼出信号を検知したとき前記周囲の騒音状況と前記周囲の人の存在に基づき報知音を選択する報知音制御手段と、前記選択された報知音を鳴動する報知手段とを備えたものである。
【００１８】
従って、人が周囲に存在する場合と存在しない場合に応じて、適正な報知音を選択するため、呼出等の報知を的確に、また、不快感を与えることなく実現する。
【００１９】
【発明実施の形態】
以下、本発明の実施の形態について、図面を用いて説明する。
【００２０】
図１は、本発明の報知音発生装置が用いられる呼出報知システムの基本構成図を示す。
【００２１】
図１に示すように、この呼出報知システムでは、報知音発生装置１は呼出ボタン９が接続され、この呼出ボタン９からの呼出信号９ａを入力する入力手段２と、呼出を検知したとき、その呼出を報知する報知手段３とで構成される。例えば、呼出ボタン９を来客報知用に使用する場合、来客が呼出ボタン９を押すと、報知音の鳴動で来客が来たことがわかる。入力手段２には来客を知らせる呼出ボタンの他、窓や扉に設置される防犯センサや、トイレ等に設置される緊急コールボタンが接続される場合もある。
【００２２】
（実施例１）
図２は、本発明の第１の実施例における報知音発生装置１１のブロック図を示す。
【００２３】
図２に示すように、この第１の実施例の報知音発生装置１１は、呼出ボタン９からの呼出信号９ａを入力する入力手段１２と、呼出を報知する報知手段１３と、周囲の騒音を測定する集音手段１４と、周囲の騒音状況に応じて、予め用意された報知音の中から適正な報知音を選択する報知音制御手段１５とで構成され、呼出ボタンからの呼出信号を検知したとき、周囲の騒音状況に応じた適正な報知音を鳴動するものである。
【００２４】
次に、第１の実施例の報知音発生装置１１の動作について説明する。
【００２５】
図３は、第１の実施例の報知音発生装置１１における動作手順を示す。図３に示すように、図１に示す呼出ボタン９より呼出信号９ａが入力手段１２に入力すると、入力手段１２は入力検知信号１２ａを報知音制御手段１５に出力する。報知音制御手段１５は入力検知信号１２ａを入力すると、集音手段１４より集音データ１４ａを入力する。報知音制御手段１５は、集音データ１４ａと予め内部に用意された複数の報知音データ１５ａを比較し、報知音データ１５ａの中から最適と判断されたものを報知用データ１３ａとして報知手段１３に出力する。報知手段１３は、入力された報知用データ１３ａに基づき報知音を鳴動する。
【００２６】
次に、第１の実施例の報知音発生装置１１の報知音選択手順について説明する。
【００２７】
図４は、第１の実施例の報知音発生装置１１における報知音選択手順を示す。
【００２８】
図４では、報知音制御手段１５の内部には予め複数の報知音データ１５ａとして、低めの周波数成分を多く含む報知音１５ａ１と、高めの周波数成分を多く含む報知音１５ａ２を用意しているものとして説明する。人間の聴力には次のような特性がある。聞く対象となる音源に近い周波数成分をもつ騒音の中では、聞く対象となる音源の音量レベルは、少なくとも騒音レベルを越えないと聞き取れない。しかしながら、騒音の周波数成分が聞く対象となる音源の周波数成分と離れている場合は、騒音レベルが音源の音量レベルを越えていても聞き取ることが可能である。
【００２９】
報知音制御手段１５は、上記聴力の特性を考慮し、報知音データ１５ａの中から適正なものを選択する。報知音制御手段１５は、集音手段１４から入力された集音データ１４ａを報知音データ１５ａと比較し、報知音データ１５ａの中から騒音にない周波数成分をより多くもつデータを選択する。図４の集音データ１４ａの例では、低い周波数の騒音が多く観測され、報知音１５ａ１はこの騒音下では聞き取れないことがわかる。逆に、報知音データ１５ａ２の持つ周波数成分に近い周波数での騒音レベルは報知音データ１５ａ２に比べ低く、この騒音下でも聞き取れることがわかる。従って、本例の場合、報知音データ１５ａ２を最適なデータと判断し、報知用データ１３ａとして、報知手段１３に出力する。
【００３０】
この説明では、説明の簡単のために報知音を２種類に限定したが、複数用意した方が最適な報知音の選択範囲を拡げることができる。
【００３１】
また、報知音として音階を持ったメロディを用いる場合は、同じメロディでも、キーの高さの異なる複数のデータを用意し、最適なキーのデータを選択することで、同様の効果が得られる。
【００３２】
また、報知手段１３と集音手段１４を同一の筐体に収めることで、報知手段１３の設置された環境での周囲の騒音レベルを適切に測定することができる。
【００３３】
また、図３では、呼出が発生してから報知音データを選択しているが、呼出が発生する前に、定期的に集音データと報知音データの比較を行ない、報知音を選択しておいても良い。この場合、集音データの測定に時間をかけても利便性を損なわないので、集音データを測定する期間を長くすることで、騒音の周波数分布に時間的な変化がある場合にも、適切な報知音を選択することが可能となる。
【００３４】
また、報知音制御手段１５に音源データを備え、測定された集音データに基づき、騒音に含まれていない周波数成分を持つ、報知音データを生成するようにすれば、さらに、対象となる騒音下でも聞き取りやすい報知音を鳴動することができる。
【００３５】
図５に、音源データから報知音データを生成する手順を示す。
【００３６】
報知音制御手段１５は、報知音データ１５ａの元となる８つの音源データ１５ｘ１〜１５ｘ８を備えているものとする。報知音制御手段１５は、集音データ１４ａと音源データ１５ｘを比較し、各音源データ１５ｘの使用する周波数周辺において、騒音レベルが低く観測される音源を採用し、報知音データ１５ａを生成する。図５の例では、音源データ１５ｘ２と１５ｘ５が採用され、報知音データ１５ａ９を生成している。尚、音源データ１５ｘを用意する際は、どの組合せで採用されても、不快な和音とならないよう配慮すると、騒音状況により採用される音源データ１５ｘの組合せが変わっても不快感を与えない。
【００３７】
以上、第１の実施例では、呼出ボタンを例に説明したが、本発明の報知音発生装置は、電話の着信等の各種報知手段としても適用が可能である。
【００３８】
（実施例２）
図６は、本発明の第２の実施例における報知音発生装置２１のブロック図を示す。
【００３９】
図６に示すように、この第２の実施例の報知音発生装置２１は、呼出ボタン９からの呼出信号９ａを入力する入力手段２２と、呼出を報知する報知手段２３と、周囲の騒音を測定する集音手段２４と、現時刻を計時する計時手段２６と、周囲の騒音状況と現時刻に応じて予め用意された報知音の中から適正な報知音を選択する報知音制御手段２５とから構成され、呼出ボタン９からの呼出信号９ａを検知したとき、周囲の騒音状況と時刻に応じて適正な報知音を鳴動するものである。
【００４０】
次に、第２の実施例の報知音発生装置２１の動作について説明する。
【００４１】
図７は、第２の実施例の報知音発生装置２１における動作手順を示す。
【００４２】
図７に示すように、図１に示す呼出ボタン９より呼出信号９ａが入力手段２２に入力すると、入力手段２２は入力検知信号２２ａを報知音制御手段２５に出力する。報知音制御手段２５は入力検知信号２２ａを入力すると、集音手段２４より集音データ２４ａを入力する。報知音制御手段２５は、集音データ２４ａと予め内部に用意された複数の報知音データ２５ａを比較・判断する。次に、報知音制御手段２５は、計時手段２６より現時刻データ２６ａを入力し、時刻テーブル２５ｂを参照し、報知音データ２５ａの中から最適と判断されたものを報知用データ２３ａとして報知手段２３に出力する。報知手段２３は、入力された報知用データ２３ａに基づき報知音を鳴動する。
【００４３】
次に、第２の実施例の報知音発生装置２１の報知音選択手順について説明する。
【００４４】
図８は、第２の実施例の報知音発生装置２１における報知音選択手順を示す。
【００４５】
図８では、報知音制御手段２５の内部には予め複数の報知音データ２５ａとして、周波数成分と音量により、４種類の報知音２５ａ１１、２５ａ１２、２５ａ２１、２５ａ２２を用意しているものとして説明する。
【００４６】
報知音制御手段２５は、集音手段２４から入力された集音データ２４ａを報知音データ２５ａと比較し、報知音データ２５ａの中から騒音にない周波数成分をより多くもつデータを選択する。図８の集音データ２４ａの例では、低い周波数の騒音が多く観測され、報知音データ１５ａ１１と１５ａ１２はこの騒音下では聞き取れないことがわかる。逆に、報知音２５ａ２１、２５ａ２２の持つ周波数成分に近い周波数での騒音レベルは報知音２５ａ２１、２５ａ２２に比べ低く、この騒音下でも聞き取れることがわかる。次に、報知音制御手段２５は、計時手段２６から入力する現時刻データ２６ａを予め時刻テーブル２５ｂに設定された深夜時間帯と比較し、深夜時間帯からはずれていれば報知音データ２５ａ２１を、深夜時間帯であれば音量の小さい報知音データ２５ａ２２を最適な報知音データと判断し、報知用データ２３ａとして報知手段２３に、出力する。
【００４７】
（実施例３）
図９は、本発明の第３の実施例における報知音発生装置３１のブロック図を示す。
【００４８】
図９に示すように、この第３の実施例の報知音発生装置３１は、呼出ボタン９からの呼出信号９ａを入力する入力手段３２と、呼出を報知する報知手段３３と、周囲の騒音を測定する集音手段３４と、周囲の明るさを測定する測光手段３７と、周囲の騒音状況と明るさに応じて、予め用意された報知音の中から適正な報知音を選択する報知音制御手段３５とから構成され、呼出ボタンからの呼出信号を検知したとき、周囲の騒音状況と明るさに応じて適正な報知音を鳴動するものである。
【００４９】
次に、第３の実施例の報知音発生装置３１の動作について説明する。
【００５０】
図１０は、第３の実施例の報知音発生装置３１における動作手順を示す。
【００５１】
図１０に示すように、図１に示す呼出ボタン９より呼出信号９ａが入力手段３２に入力すると、入力手段３２は入力検知信号３２ａを報知音制御手段３５に出力する。報知音制御手段３５は入力検知信号３２ａを入力すると、集音手段３４より集音データ３４ａを入力する。報知音制御手段３５は、集音データ３４ａと予め内部に用意された複数の報知音データ３５ａを比較・判断する。次に、報知音制御手段３５は、測光手段３７から照度データ３７ａを入力し、予め設定された照度テーブル３５ｃを参照し、報知音データ３５ａの中から最適と判断されたものを報知用データ３３ａとして報知手段３３に出力する。報知手段３３は、入力された報知用データ３３ａに基づき報知音を鳴動する。
【００５２】
次に、第３の実施例の報知音発生装置３１の報知音選択手順について説明する。
【００５３】
図１１は、第３の実施例の報知音発生装置２１における報知音選択手順を示す。
【００５４】
図１１では、報知音制御手段３５の内部には予め複数の報知音３５ａとして、周波数成分と音量により、４種類の報知音３５ａ１１、３５ａ１２、３５ａ２１、３５ａ２２を用意しているものとして説明する。
【００５５】
報知音制御手段３５は、集音手段３４から入力された集音データ３４ａを報知音データ３５ａと比較し、報知音データ３５ａの中から騒音にない周波数成分をより多くもつデータを選択する。図８の集音データ３４ａの例では、低い周波数の騒音が多く観測され、報知音データ３５ａ１１と３５ａ１２はこの騒音下では聞き取れないことがわかる。逆に、報知音３５ａ２１、３５ａ２２の持つ周波数成分に近い周波数での騒音レベルは報知音３５ａ２１、３５ａ２２に比べ低く、この騒音下でも聞き取れることがわかる。次に、報知音制御手段３５は、測光手段３７から入力する照度データ３７ａを予め設定された照度テーブル３５ｃと比較し、人の活動している可能性が高い明るい環境下では、音量の大きい報知音３５ａ２１を、人の活動している可能性が低い照度の暗い環境下であれば、音量の小さい報知音３５ａ２２を最適な報知音データと判断し、報知用データ３３ａとして、報知手段３３に出力する。
【００５６】
（実施例４）
図１２は、本発明の第４の実施例における報知音発生装置４１のブロック図を示す。
【００５７】
図１２に示すように、この第４の実施例の報知音発生装置４１は、呼出ボタン９からの呼出信号９ａを入力する入力手段４２と、呼出を報知する報知手段４３と、周囲の騒音を測定する集音手段４４と、人の動きを検知する人感手段４８と、周囲の騒音状況と人の存在の有無に応じて、予め用意された報知音の中から適正な報知音を選択する報知音制御手段４５とから構成され、呼出ボタン９からの呼出信号９ａを検知したとき、周囲の騒音状況と周囲の人の存在に応じて適正な報知音を鳴動するものである。
【００５８】
次に、第４の実施例の報知音発生装置４１の動作について説明する。
【００５９】
図１３は、第４の実施例の報知音発生装置４１における動作手順を示す。
【００６０】
図１３に示すように、図１に示す呼出ボタン９より呼出信号９ａが入力手段４２に入力すると、入力手段４２は入力検知信号４２ａを報知音制御手段４５に出力する。報知音制御手段４５は入力検知信号４２ａを入力すると、集音手段４４より集音データ４４ａを入力する。報知音制御手段４５は集音データ４４ａと予め内部に用意された複数の報知音データ４５ａを比較・判断する。次に、報知音制御手段４５は人感手段４８から人感データ４８ａを入力し、予め設定された人感テーブル４５ｄ参照し、報知音データ４５ａの中から最適と判断されたものを報知用データ４３ａとして報知手段４３に出力する。報知手段４３は、入力された報知用データ４３ａに基づき報知音を鳴動する。
【００６１】
次に、第４の実施例の報知音発生装置４１の報知音選択手順について説明する。
【００６２】
図１４は、第４の実施例の報知音発生装置４１における報知音選択手順を示す。
【００６３】
図１４では、報知音制御手段４５の内部には予め複数の報知音データ４５ａとして、周波数成分と音量により、４種類の報知音データ４５ａ１１、４５ａ１２、４５ａ２１、４５ａ２２を用意しているものとして説明する。
【００６４】
報知音制御手段４５は、集音手段４４から入力された集音データ４４ａを報知音データ４５ａと比較し、報知音データ４５ａの中から騒音にない周波数成分をより多くもつデータを選択する。図１４の集音データ４４ａの例では、低い周波数の騒音が多く観測され、報知音データ４５ａ１１と４５ａ１２はこの騒音下では聞き取れないことがわかる。逆に、報知音４５ａ２１、４５ａ２２の持つ周波数成分に近い周波数での騒音レベルは報知音４５ａ２１、４５ａ２２に比べ低く、この騒音下でも聞き取れることがわかる。次に、報知音制御手段４５は、人感手段４８から入力する人感データ４８ａを予め設定された人感テーブルと比較し、人が周囲に居なければ、より遠くに報知音が届くよう音量の大きい報知音４５ａ２１を、人が周囲に居れば、音量の小さい報知音４５ａ２２を、最適な報知音データと判断し、報知用データ４３ａとして、報知手段４３に出力する。
【００６５】
【発明の効果】
本発明の報知音発生装置は、呼出信号を入力する入力手段と、周囲の騒音を測定する集音手段と、前記呼出信号を検知したとき前記周囲の騒音状況に基づき報知音を選択する報知音制御手段と、前記選択された報知音を鳴動する報知手段とを備えたものである。
【００６６】
従って、周囲の騒音状況に応じて、予め用意された報知音の中から適正な報知音を選択し鳴動することができるため、呼出等の報知を的確に、また、不快感を与えることなく実現することができる。
【図面の簡単な説明】
【図１】本発明の報知音発生装置が用いられる呼出報知システムの基本構成図
【図２】本発明の第１の実施例における報知音発生装置のブロック図
【図３】本発明の第１の実施例における報知音発生装置の動作手順を示す図
【図４】本発明の第１の実施例における報知音発生装置の報知音選択手順を示す図
【図５】本発明の第１の実施例における報知音生成手順を示す図
【図６】本発明の第２の実施例における報知音発生装置のブロック図
【図７】本発明の第２の実施例における報知音発生装置の動作手順を示す図
【図８】本発明の第２の実施例における報知音発生装置の報知音選択手順を示す図
【図９】本発明の第３の実施例における報知音発生装置のブロック図
【図１０】本発明の第３の実施例における報知音発生装置の動作手順を示す図
【図１１】本発明の第３の実施例における報知音発生装置の報知音選択手順を示す図
【図１２】本発明の第４の実施例における報知音発生装置のブロック図
【図１３】本発明の第４の実施例における報知音発生装置の動作手順を示す図
【図１４】本発明の第４の実施例における報知音発生装置の報知音選択手順を示す図
【符号の説明】
１、１１、２１、３１、４１　報知音発生装置
２、１２、２２、３２、４２　入力手段
３、１３、２３、３３、４３　報知手段
１４、２４、３４、４４　集音手段
１５、２５、３５、４５　報知音制御手段
２６　計時手段
３７　測光手段
４８　人感手段
９　呼出ボタン
【図１】
2004144890.tif 000003
【図２】
2004144890.tif 000004
【図３】
2004144890.tif 000005
【図４】
2004144890.tif 000006
【図５】
2004144890.tif 000007
【図６】
2004144890.tif 000008
【図７】
2004144890.tif 000009
【図８】
2004144890.tif 000010
【図９】
2004144890.tif 000011
【図１０】
2004144890.tif 000012
【図１１】
2004144890.tif 000013
【図１２】
2004144890.tif 000014
【図１３】
2004144890.tif 000015
【図１４】
2004144890.tif 000016